(57)【要約】  ＬＥＤディスプレイモジュール及びディスプレイ装置が開示される。ＬＥＤディスプレイモジュールは、複数の第１ＬＥＤの配列された第１行（ｒｏｗ）及び複数の第２ＬＥＤの配列された第２行で構成されたＬＥＤパートと、前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、前記第１行の奇数列に配置された複数の第１ＬＥＤに接続された第１スイッチと、前記第２行の奇数列に配置された複数の第２ＬＥＤに接続された第２スイッチと、前記第１行の偶数列に配置された複数の第１ＬＥＤに接続された第３スイッチと、前記第２行の偶数列に配置された複数の第２ＬＥＤに接続された第４スイッチと、前記第１ないし第４スイッチが順次にターンオンされるように制御するコントローラとを含む。
2019536095.tif 000002
【特許請求の範囲】
【請求項１】
ＬＥＤディスプレイモジュールにおいて、
複数の第１ＬＥＤの配列された第１行及び複数の第２ＬＥＤの配列された第２行で構成されたＬＥＤパートと、
前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、
前記第１行の奇数列に配置された複数の第１ＬＥＤに接続された第１スイッチと、前記第２行の奇数列に配置された複数の第２ＬＥＤに接続された第２スイッチと、前記第１行の偶数列に配置された複数の第１ＬＥＤに接続された第３スイッチと、前記第２行の偶数列に配置された複数の第２ＬＥＤに接続された第４スイッチと、
前記第１ないし第４スイッチが順次にターンオンされるように制御するコントローラと
を含むＬＥＤディスプレイモジュール。
【請求項２】
前記ＬＥＤパートは、
複数の第３ＬＥＤの配列された第３行及び複数の第４ＬＥＤの配列された第４行を含み、
前記複数の第３ＬＥＤのうち少なくとも一つ及び前記複数の第４ＬＥＤのうち少なくとも一つに共通して接続された第３ドライバＩＣ、及び前記複数の第３ＬＥＤのうち別の少なくとも一つ及び前記複数の第４ＬＥＤのうち別の少なくとも一つに共通して接続された第４ドライバＩＣと、
前記第３行の奇数列に配置された複数の第３ＬＥＤに接続された第５スイッチと、前記第４行の奇数列に配置された複数の第４ＬＥＤに接続された第６スイッチと、前記第３行の偶数列に配置された複数の第３ＬＥＤに接続された第７スイッチと、前記第４行の偶数列に配置された複数の第４ＬＥＤに接続された第８スイッチとを含み、
前記コントローラは、
前記第１、第２、第３、及び第４スイッチが順次にターンオンされ、前記第５、第６、第７、及び第８スイッチが、それぞれ前記第１、第２、第３、及び第４スイッチと同時にターンオンされるように制御することを特徴とする請求項１に記載のＬＥＤディスプレイモジュール。
【請求項３】
前記第１ドライバＩＣは、
前記第１行の第１及び第２列に配置された二つの第１ＬＥＤ、及び前記第２行の第１及び第２列に配置された二つの第２ＬＥＤに共通して接続され、
前記第２ドライバＩＣは、
前記第１行の第３及び第４列に配置された二つの第１ＬＥＤ、及び前記第２行の第３及び第４列に配置された二つの第２ＬＥＤに共通して接続されることを特徴とする請求項１に記載のＬＥＤディスプレイモジュール。
【請求項４】
前記第１ドライバＩＣは、
前記第１行の第１列に配置された一つの第１ＬＥＤ及び前記第２行の第２列に配置された一つの第２ＬＥＤに共通して接続され、
前記第２ドライバＩＣは、
前記第１行の第２列に配置された一つの第１ＬＥＤ及び前記第２行の第１列に配置された一つの第２ＬＥＤに共通して接続されることを特徴とする請求項１に記載のＬＥＤディスプレイモジュール。
【請求項５】
前記第１ドライバＩＣは、
前記第１行の第１列に配置された第１ＬＥＤ及び前記第２行の第２列に配置された第２ＬＥＤのそれぞれのアノードに共通して接続され、
前記第２ドライバＩＣは、
前記第１行の第２列に配置された第１ＬＥＤ及び前記第２行の第１列に配置された第２ＬＥＤのそれぞれのアノードに共通して接続されることを特徴とする請求項４に記載のＬＥＤディスプレイモジュール。
【請求項６】
前記第１ドライバＩＣは、
前記第１行の第１列に配置された第１ＬＥＤ及び前記第２行の第２列に配置された第２ＬＥＤのそれぞれのカソードに共通して接続され、
前記第２ドライバＩＣは、
前記第１行の第２列に配置された第１ＬＥＤ及び前記第２行の第１列に配置された第２ＬＥＤのそれぞれのカソードに共通して接続されることを特徴とする請求項４に記載のＬＥＤディスプレイモジュール。
【請求項７】
前記コントローラは、
前記ＬＥＤパートでディスプレイされる映像に基づいて、特定のスイッチがターンオンされる場合、前記特定のスイッチに接続されたＬＥＤの電流を制御するドライバＩＣを選択的に非活性化させることを特徴とする請求項１に記載のＬＥＤディスプレイモジュール。
【請求項８】
前記ＬＥＤパートは、
複数の第３ＬＥＤ及び複数の第４ＬＥＤを更に含み、
前記複数の第３ＬＥＤのうち少なくとも一つ及び前記複数の第４ＬＥＤのうち少なくとも一つに共通して接続された第３ドライバＩＣ、及び前記複数の第３ＬＥＤのうち別の少なくとも一つ及び前記複数の第４ＬＥＤのうち別の少なくとも一つに共通して接続された第４ドライバＩＣと、
第１複数の第３ＬＥＤに接続された第５スイッチと、第１複数の第４ＬＥＤに接続された第６スイッチと、第２複数の第３ＬＥＤに接続された第７スイッチと、第２複数の第４ＬＥＤに接続された第８スイッチとを更に含み、
前記コントローラは、
前記第１、第２、第３及び第４スイッチが順次にターンオンされ、前記第５、第６、第７、及び第８スイッチが、それぞれ前記第１、第２、第３、及び第４スイッチと同時にターンオンされるように制御することを特徴とする請求項１に記載のＬＥＤディスプレイモジュール。
【請求項９】
ディスプレイ装置において、
ＬＥＤディスプレイモジュールと、
前記ＬＥＤディスプレイモジュールの駆動を制御するプロセッサと
を含み、
前記ＬＥＤディスプレイモジュールは、
複数の第１ＬＥＤの配列された第１行及び複数の第２ＬＥＤの配列された第２行で構成されたＬＥＤパートと、
前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、
前記第１行の奇数列に配置された複数の第１ＬＥＤに接続された第１スイッチと、前記第２行の奇数列に配置された複数の第２ＬＥＤに接続された第２スイッチと、前記第１行の偶数列に配置された複数の第１ＬＥＤに接続された第３スイッチと、前記第２行の偶数列に配置された複数の第２ＬＥＤに接続された第４スイッチと、
前記第１ないし第４スイッチが順次にターンオンされるように制御するコントローラと
を含み、
前記プロセッサは、
前記コントローラを制御するディスプレイ装置。
【請求項１０】
前記ＬＥＤパートは、
複数の第３ＬＥＤの配列された第３行及び複数の第４ＬＥＤの配列された第４行を更に含み、
前記複数の第３ＬＥＤのうち少なくとも一つ及び前記複数の第４ＬＥＤのうち少なくとも一つに共通して接続された第３ドライバＩＣ、及び前記複数の第３ＬＥＤのうち別の少なくとも一つ及び前記複数の第４ＬＥＤのうち別の少なくとも一つに共通して接続された第４ドライバＩＣと、
前記第３行の奇数列に配置された複数の第３ＬＥＤに接続された第５スイッチと、前記第４行の奇数列に配置された複数の第４ＬＥＤに接続された第６スイッチと、前記第３行の偶数列に配置された複数の第３ＬＥＤに接続された第７スイッチと、前記第４行の偶数列に配置された複数の第４ＬＥＤに接続された第８スイッチとを更に含み、
前記コントローラは、
前記第１、第２、第３、及び第４スイッチが順次にターンオンされ、前記第５、第６、第７、及び第８スイッチが、それぞれ前記第１、第２、第３、及び第４スイッチと同時にターンオンされるように制御することを特徴とする請求項９に記載のディスプレイ装置。
【請求項１１】
前記第１ドライバＩＣは、
前記第１行の第１及び第２列に配置された二つの第１ＬＥＤ、及び前記第２行の第１及び第２列に配置された二つの第２ＬＥＤに共通して接続され、
前記第２ドライバＩＣは、
前記第１行の第３及び第４列に配置された二つの第１ＬＥＤ、及び前記第２行の第３及び第４列に配置された二つの第２ＬＥＤに共通して接続されることを特徴とする請求項９に記載のディスプレイ装置。
【請求項１２】
前記第１ドライバＩＣは、
前記第１行の第１列に配置された一つの第１ＬＥＤ及び前記第２行の第２列に配置された一つの第２ＬＥＤに共通して接続され、
前記第２ドライバＩＣは、
前記第１行の第２列に配置された一つの第１ＬＥＤ及び前記第２行の第１列に配置された一つの第２ＬＥＤに共通して接続されることを特徴とする請求項９に記載のディスプレイ装置。
【請求項１３】
前記第１ドライバＩＣは、
前記第１行の第１列に配置された第１ＬＥＤ及び前記第２行の第２列に配置された第２ＬＥＤのそれぞれのアノードに共通して接続され、
前記第２ドライバＩＣは、
前記第１行の第２列に配置された第１ＬＥＤ及び前記第２行の第１列に配置された第２ＬＥＤのそれぞれのアノードに共通して接続されることを特徴とする請求項１２に記載のディスプレイ装置。
【請求項１４】
前記第１ドライバＩＣは、
前記第１行の第１列に配置された一つの第１ＬＥＤ及び前記第２行の第２列に配置された一つの第２ＬＥＤのそれぞれのカソードに共通して接続され、
前記第２ドライバＩＣは、
前記第１行の第２列に配置された一つの第１ＬＥＤ及び前記第２行の第１列に配置された一つの第２ＬＥＤのそれぞれのカソードに共通して接続されることを特徴とする請求項１２に記載のディスプレイ装置。
【請求項１５】
前記プロセッサは、
前記ＬＥＤパートでディスプレイされる映像に基づいて、特定のスイッチがターンオンされる場合、前記特定のスイッチに接続されたＬＥＤの電流を制御するドライバＩＣを選択的に非活性化させるように前記コントローラを制御することを特徴とする請求項９に記載のディスプレイ装置。
【発明の詳細な説明】
【技術分野】
【０００１】
本発明は、ＬＥＤディスプレイモジュール及びディスプレイ装置に関し、より詳細には、信号インターフェースを通じてイメージ信号を受信して表示するＬＥＤディスプレイモジュール及びディスプレイ装置に関する。
【背景技術】
【０００２】
技術の発展に伴い、多様な形態のディスプレイチャネルを含むディスプレイ装置が開発されている。過去は、ＣＲＴ及びＬＣＤを含むディスプレイ装置が開発されていた。最近は、ＯＬＥＤを含むＬＥＤディスプレイモジュールを含むディスプレイ装置が開発されている。
【０００３】
ＬＥＤディスプレイ装置は、複数のＬＥＤディスプレイモジュールを組み合わせて実現されてよい。そして、ＬＥＤディスプレイモジュールは、複数のＬＥＤを含む。ＬＥＤの輝度は、ＬＥＤに流れる電流量によって決まる。よって、ＬＥＤは、一定の輝度を維持するために、定電流ドライバＩＣが必要である。通常、それぞれのＬＥＤは、それぞれのドライバＩＣと接続されている。
【０００４】
図１に示すように、従来のＬＥＤディスプレイモジュールは、各ラインごとに一列に配置された複数のＬＥＤを含む。そして、従来のＬＥＤディスプレイモジュールは、各ラインごとに電源部と接続されるスイッチを含む。なお、それぞれのＬＥＤに接続されたドライバＩＣを含んで、スイッチのオンオフに応じてライン別にＬＥＤを制御する。
【発明の概要】
【発明が解決しようとする課題】
【０００５】
１０００個のＬＥＤを含むＬＥＤディスプレイモジュールは、１０００個のドライバＩＣを含んでよい。従来のＬＥＤディスプレイモジュールは、ＬＥＤの数に対応するドライバＩＣが必要になることによって、大型画面で実現される場合、構造が複雑になり、消費電力が増加するという問題があった。なお、ＬＥＤディスプレイモジュールは、嵩が増して収率が低下するという問題点もあった。
【０００６】
そこで、本発明は、上記問題に鑑みてなされたものであり、本発明の目的とするところは、画質が低下することなく、ドライバＩＣの数を減少させることができるＬＥＤディスプレイモジュール及びディスプレイ装置を提供することにある。
【課題を解決するための手段】
【０００７】
以上のような目的を達成するための一実施形態に係るＬＥＤディスプレイモジュールは、複数の第１ＬＥＤの配列された第１行（ｒｏｗ）及び複数の第２ＬＥＤの配列された第２行で構成されたＬＥＤパートと、前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、前記第１行の奇数列に配置された複数の第１ＬＥＤに接続された第１スイッチと、前記第２行の奇数列に配置された複数の第２ＬＥＤに接続された第２スイッチと、前記第１行の偶数列に配置された複数の第１ＬＥＤに接続された第３スイッチと、前記第２行の偶数列に配置された複数の第２ＬＥＤに接続された第４スイッチと、前記第１ないし第４スイッチが順次にターンオンされるように制御するコントローラとを含む。
【０００８】
前記ＬＥＤパートは、複数の第３ＬＥＤの配列された第３行及び複数の第４ＬＥＤの配列された第４行を含み、前記複数の第３ＬＥＤのうち少なくとも一つ及び前記複数の第４ＬＥＤのうち少なくとも一つに共通して接続された第３ドライバＩＣ、及び前記複数の第３ＬＥＤのうち別の少なくとも一つ及び前記複数の第４ＬＥＤのうち別の少なくとも一つに共通して接続された第４ドライバＩＣと、前記第３行の奇数列に配置された複数の第３ＬＥＤに接続された第５スイッチと、前記第４行の奇数列に配置された複数の第４ＬＥＤに接続された第６スイッチと、前記第３行の偶数列に配置された複数の第３ＬＥＤに接続された第７スイッチと、前記第４行の偶数列に配置された複数の第４ＬＥＤに接続された第８スイッチとを含んでよく、前記コントローラは、前記第１、第２、第３、及び第４スイッチが順次にターンオンされ、前記第５、第６、第７、及び第８スイッチが、それぞれ前記第１、第２、第３、及び第４スイッチと同時にターンオンされるように制御してよい。
【０００９】
前記第１ドライバＩＣは、前記第１行の第１及び第２列に配置された二つの第１ＬＥＤ、及び前記第２行の第１及び第２列に配置された二つの第２ＬＥＤに共通して接続され、前記第２ドライバＩＣは、前記第１行の第３及び第４列に配置された二つの第１ＬＥＤ、及び前記第２行の第３及び第４列に配置された二つの第２ＬＥＤに共通して接続されてよい。
【００１０】
前記第１ドライバＩＣは、前記第１行の第１列に配置された一つの第１ＬＥＤ及び前記第２行の第２列に配置された一つの第２ＬＥＤに共通して接続され、前記第２ドライバＩＣは、前記第１行の第２列に配置された一つの第１ＬＥＤ及び前記第２行の第１列に配置された一つの第２ＬＥＤに共通して接続されてよい。
【００１１】
前記第１ドライバＩＣは、前記第１行の第１列に配置された第１ＬＥＤ及び前記第２行の第２列に配置された第２ＬＥＤのそれぞれのアノードに共通して接続され、前記第２ドライバＩＣは、前記第１行の第２列に配置された第１ＬＥＤ及び前記第２行の第１列に配置された第２ＬＥＤのそれぞれのアノードに共通して接続されてよい。
【００１２】
前記第１ドライバＩＣは、前記第１行の第１列に配置された第１ＬＥＤ及び前記第２行の第２列に配置された第２ＬＥＤのそれぞれのカソードに共通して接続され、前記第２ドライバＩＣは、前記第１行の第２列に配置された第１ＬＥＤ及び前記第２行の第１列に配置された第２ＬＥＤのそれぞれのカソードに共通して接続されてよい。
【００１３】
前記コントローラは、前記ＬＥＤパートでディスプレイされる映像に基づいて、特定のスイッチがターンオンされる場合、前記特定のスイッチに接続されたＬＥＤの電流を制御するドライバＩＣを選択的に非活性化させてよい。
【００１４】
以上のような目的を達成するための別の実施形態に係るＬＥＤディスプレイモジュールは、複数の第１ＬＥＤの配列された第１行及び複数の第２ＬＥＤの配列された第２行で構成されたＬＥＤパートと、前記複数の第１ＬＥＤのうちレッドＬＥＤのそれぞれに接続され、前記複数の第１ＬＥＤのうちグリーンＬＥＤ及びブルーＬＥＤに接続されない複数の第１ドライバＩＣと、前記複数の第１ＬＥＤのうちグリーンＬＥＤ及びブルーＬＥＤにそれぞれ共通して接続され、前記複数の第１ＬＥＤのうちレッドＬＥＤに接続されない複数の第２ドライバＩＣと、前記複数の第２ＬＥＤのうちレッドＬＥＤのそれぞれに接続され、前記複数の第２ＬＥＤのうちグリーンＬＥＤ及びブルーＬＥＤに接続されない複数の第３ドライバＩＣと、前記複数の第２ＬＥＤのうちグリーンＬＥＤ及びブルーＬＥＤにそれぞれ共通して接続され、前記複数の第２ＬＥＤのうちレッドＬＥＤに接続されない複数の第４ドライバＩＣと、前記複数の第１ＬＥＤのうち複数のレッドＬＥＤに共通して接続された第１スイッチと、前記複数の第１ＬＥＤのうち複数のグリーンＬＥＤ及びブルーＬＥＤに共通して接続された第２スイッチと、前記複数の第２ＬＥＤのうち複数のレッドＬＥＤに共通して接続された第３スイッチと、前記複数の第２ＬＥＤのうち複数のグリーンＬＥＤ及びブルーＬＥＤに共通して接続された第４スイッチと、前記第１ないし第４スイッチが順次にターンオンされるように制御するコントローラとを含む。
【００１５】
前記第１スイッチと前記第３スイッチとは、前記複数の第１ＬＥＤのうちレッドＬＥＤ及び前記複数の第２ＬＥＤのうちレッドＬＥＤに第１電圧を供給するために第１電源に接続され、前記第２スイッチと前記第４スイッチとは、前記複数の第１ＬＥＤのうちグリーンＬＥＤとブルーＬＥＤ、前記複数の第２ＬＥＤのうちグリーンＬＥＤとブルーＬＥＤに第１電圧とは異なる第２電圧を供給するために第２電源に接続されてよい。
【００１６】
前記複数の第１ドライバＩＣ及び前記複数の第２ドライバＩＣは、前記複数の第１ＬＥＤのアノードに接続され、前記複数の第３ドライバＩＣ及び前記複数の第４ドライバＩＣは、前記複数の第２ＬＥＤのアノードに接続されてよい。
【００１７】
前記複数の第１ドライバＩＣ及び前記複数の第２ドライバＩＣは、前記複数の第１ＬＥＤのカソードに接続され、前記複数の第３ドライバＩＣ及び前記複数の第４ドライバＩＣは、前記複数の第２ＬＥＤのカソードに接続されてよい。
【００１８】
以上のような目的を達成するための一実施形態に係るディスプレイ装置は、ＬＥＤディスプレイモジュールと、ＬＥＤディスプレイモジュールの駆動を制御するプロセッサとを含み、前記ＬＥＤディスプレイモジュールは、複数の第１ＬＥＤの配列された第１行及び複数の第２ＬＥＤの配列された第２行で構成されたＬＥＤパートと、前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、前記第１行の奇数列に配置された複数の第１ＬＥＤに接続された第１スイッチと、前記第２行の奇数列に配置された複数の第２ＬＥＤに接続された第２スイッチと、前記第１行の偶数列に配置された複数の第１ＬＥＤに接続された第３スイッチと、前記第２行の偶数列に配置された複数の第２ＬＥＤに接続された第４スイッチと、前記第１ないし第４スイッチが順次にターンオンされるように制御するコントローラとを含み、前記プロセッサは、前記コントローラを制御する。
【００１９】
以上のような目的を達成するための別の実施形態に係るＬＥＤディスプレイモジュールは、複数の第１ＬＥＤ及び複数の第２ＬＥＤを更に含み、前記複数の第１ＬＥＤのうち少なくとも一つ及び前記複数の第２ＬＥＤのうち少なくとも一つに共通して接続された第１ドライバＩＣ、及び前記複数の第１ＬＥＤのうち別の少なくとも一つ及び前記複数の第２ＬＥＤのうち別の少なくとも一つに共通して接続された第２ドライバＩＣと、第１複数の第１ＬＥＤに接続された第１スイッチと、第１複数の第２ＬＥＤに接続された第２スイッチと、第２複数の第１ＬＥＤに接続された第３スイッチと、第２複数の第２ＬＥＤに接続された第４スイッチとを含み、前記第１、第２、第３及び第４スイッチが順次にターンオンされるように制御するコントローラとを含む。
【００２０】
前記ＬＥＤパートは、複数の第３ＬＥＤ及び複数の第４ＬＥＤを更に含み、前記複数の第３ＬＥＤのうち少なくとも一つ及び前記複数の第４ＬＥＤのうち少なくとも一つに共通して接続された第３ドライバＩＣ、及び前記複数の第３ＬＥＤのうち別の少なくとも一つ及び前記複数の第４ＬＥＤのうち別の少なくとも一つに共通して接続された第４ドライバＩＣと、第１複数の第３ＬＥＤに接続された第５スイッチと、第１複数の第４ＬＥＤに接続された第６スイッチと、第２複数の第３ＬＥＤに接続された第７スイッチと、第２複数の第４ＬＥＤに接続された第８スイッチとを含み、前記コントローラは、前記第１、第２、第３及び第４スイッチが順次にターンオンされ、前記第５、第６、第７、及び第８スイッチが、それぞれ前記第１、第２、第３、及び第４スイッチと同時にターンオンされるように制御してよい。
【００２１】
以上のような目的を達成するための別の実施形態に係るＬＥＤディスプレイモジュールは、複数の第１ＬＥＤ及び複数の第２ＬＥＤで構成されたＬＥＤパートと、前記複数の第１ＬＥＤのうち少なくとも一つにそれぞれ接続される複数の第１ドライバＩＣと、前記複数の第１ＬＥＤのうち少なくとも二つに共通して接続される複数の第２ドライバＩＣと、前記複数の第２ＬＥＤのうち少なくとも一つにそれぞれ接続される複数の第３ドライバＩＣと、前記複数の第２ＬＥＤのうち少なくとも二つに共通して接続される複数の第４ドライバＩＣと、前記複数の第１ドライバＩＣに接続されたＬＥＤに共通して接続される第１スイッチと、前記複数の第２ドライバＩＣに接続されたＬＥＤに共通して接続される第２スイッチと、前記複数の第３ドライバＩＣに接続されたＬＥＤに共通して接続される第３スイッチと、前記複数の第４ドライバＩＣに接続されたＬＥＤに共通して接続される第４スイッチと、前記第１ないし第４スイッチが順次にターンオンされるように制御するコントローラとを含む。
【発明の効果】
【００２２】
以上説明したように、本発明によれば、ＬＥＤディスプレイモジュール及びディスプレイ装置は、ドライバＩＣの数の減少に伴い消費電力及び嵩の減らすことができる。
【００２３】
そして、ＬＥＤディスプレイ装置及びディスプレイ装置は、従来のディスプレイパネルに比べて、構造が単純化することにより、収率を増加させて費用を削減することができる。なお、ＬＥＤディスプレイモジュール及びディスプレイ装置は、空間的分割だけでなく、時間的分割駆動をすることにより、画質の低下を防止することができる。
【図面の簡単な説明】
【００２４】
【図１】従来のＬＥＤディスプレイモジュールを説明するための図である。
【図２】一実施形態に係るＬＥＤディスプレイモジュールを示すブロック図である。
【図３】第１実施形態に係るＬＥＤディスプレイモジュールを説明するための図である。
【図４】第２実施形態に係るＬＥＤディスプレイモジュールを説明するための図である。
【図５】第３実施形態に係るＬＥＤディスプレイモジュールを説明するための図である。
【図６】第４実施形態に係るＬＥＤディスプレイモジュールを説明するための図である。
【図７】第５実施形態に係るＬＥＤディスプレイモジュールを説明するための図である。
【図８】一実施形態に係るＬＥＤディスプレイモジュールの時分割方式を説明するための図である。
【図９Ａ】一実施形態に係るＬＥＤディスプレイモジュールの時分割方式を従来の方式と比較した図である。
【図９Ｂ】一実施形態に係るＬＥＤディスプレイモジュールの時分割方式を従来の方式と比較した図である。
【図９Ｃ】一実施形態に係るＬＥＤディスプレイモジュールの時分割方式を従来の方式と比較した図である。
【図９Ｄ】一実施形態に係るＬＥＤディスプレイモジュールの時分割方式を従来の方式と比較した図である。
【図１０】一実施形態に係るディスプレイ装置を示すブロック図である。
【発明を実施するための形態】
【００２５】
図２は、一実施形態に係るＬＥＤディスプレイモジュールを示すブロック図である。図２を参照すると、ＬＥＤディスプレイモジュール１００は、ＬＥＤパート１１０と、ドライバＩＣ１２０と、スイッチ１３０及びコントローラ１４０を含む。
【００２６】
ＬＥＤパート１１０は、複数のＬＥＤを含む。例えば、ＬＥＤパート１１０の第１ラインには複数の第１ＬＥＤが配列され、第２ラインには複数の第２ＬＥＤが配列され、第３ラインには複数の第３ＬＥＤが配列され、第４ラインには複数の第４ＬＥＤが配列される。そして、第ｎラインには複数の第ｎＬＥＤが配列される。ＬＥＤパート１１０は、ＬＥＤの種類、解像度、実現方式に応じて多様なラインの数、列の数またはＬＥＤの数を含んでよい。例えば、それぞれのＬＥＤは、レッド、グリーンまたはブルーのうちの一つの色を出力することができる。または、一つのＬＥＤがデータ信号に応じて、レッド、グリーンまたはブルーの色を全て出力することもできる。それぞれのＬＥＤは、ディスプレイ画面の各ピクセルを構成することができる。例えば、１９２０×１０８０であるＦｕｌｌ−ＨＤを表示することができるＬＥＤディスプレイパネルは、１９２０×１０８０のＬＥＤ、即ち、２０７３６００個のＬＥＤを含んでよい。
【００２７】
ドライバＩＣ１２０は、各ＬＥＤに流れる電流量を一定に保持させる役割を担い、複数の第１ＬＥＤ及び複数の第２ＬＥＤのうち、予め設定された方式によって複数のＬＥＤと共通して接続される。よって、一つのドライブＩＣ１２０は、複数のＬＥＤと共通して接続され、接続された各ＬＥＤの電流量を一定に保持させる役割を行う。または、レッドＬＥＤのそれぞれは一つのドライバＩＣ１２０と接続され、グリーンＬＥＤはブルーＬＥＤとともに別の一つのドライバＩＣ１２０と接続されてよい。ＬＥＤディスプレイモジュール１００には、複数のドライバＩＣ１２０が含まれる。例えば、１９２０×１０８０であるＦｕｌｌ−ＨＤを表示することができるＬＥＤディスプレイパネルにおいて、二つのＬＥＤが一つのドライバＩＣ１２０に共通して接続されるとしたら、ＬＥＤディスプレイパネル１００は、１０３６８００個のドライバＩＣ１２０を含んでよい。または、ＬＥＤディスプレイパネル１００で、四つのＬＥＤが一つのドライバＩＣ１２０に共通して接続されるとしたら、ＬＥＤディスプレイパネル１００は、５１８４００個のドライバＩＣ１２０を含んでよい。よって、ドライバＩＣ１２０が複数のＬＥＤと接続される場合、従来のＬＥＤディスプレイパネルよりドライバＩＣの数を顕著に減らすことができる。
【００２８】
スイッチ１３０は、コントローラ１４０の制御によって接続されたＬＥＤをターンオンまたはターンオフさせる。スイッチ１３０は、一定のパターンに応じて複数のＬＥＤに接続されてよい。一実施形態として、第１スイッチは、第１ラインの奇数列に配置された複数の第１ＬＥＤと接続されてよい。第２スイッチは、第１ラインの偶数列に配置された複数の第１ＬＥＤと接続されてよい。第３スイッチは、第２ラインの奇数列に配置された複数の第２ＬＥＤと接続されてよく、第４スイッチは、第２ラインの偶数列に配置された複数の第２ＬＥＤと接続されてよい。第５スイッチは、第３ラインの奇数列に配置された複数の第３ＬＥＤと接続されてよく、第６スイッチは、第３ラインの偶数列に配置された複数の第３ＬＥＤと接続されてよい。第７スイッチは、第４ラインの偶数列に配置された複数の第４ＬＥＤと接続されてよく、第８スイッチは、第４ラインの奇数列に配置された複数の第４ＬＥＤと接続されてよい。そして、第２ｎ−１スイッチは、第ｎラインの奇数列に配置された複数の第ｎＬＥＤと接続されてよく、第２ｎスイッチは、第ｎラインの偶数列に配置された複数の第ｎＬＥＤと接続されてよい。
【００２９】
または、第１スイッチは、第１ラインの複数のレッドＬＥＤと接続され、第２スイッチは、第１ラインの複数のグリーンＬＥＤ及びブルーＬＥＤと接続されてよい。第３スイッチは、第２ラインの複数のレッドＬＥＤと接続され、第４スイッチは、第２ラインの複数のグリーンＬＥＤ及びブルーＬＥＤと接続されてよい。第５スイッチは、第３ラインの複数のレッドＬＥＤと接続され、第６スイッチは、第３ラインの複数のグリーンＬＥＤ及びブルーＬＥＤと接続されてよい。第７スイッチは、第４ラインの複数のレッドＬＥＤと接続され、第８スイッチは、第４ラインの複数のグリーンＬＥＤ及びブルーＬＥＤと接続されてよい。第２ｎ−１スイッチは、第ｎラインの複数のレッドＬＥＤに接続され、第２ｎスイッチは、第ｎラインの複数のグリーンＬＥＤ及びブルーＬＥＤと接続されてよい。
【００３０】
コントローラ１４０は、スイッチ１３０を順次にオンオフさせる。即ち、コントローラ１４０は、第１ないし第２ｎスイッチのうち、一つ以上のスイッチをオンオフさせることができる。コントローラ１４０がスイッチ１３０を制御し、順次にオンオフさせることにより、複数のＬＥＤを時間的に分割して映像を表示することができる。
【００３１】
一方、スイッチ１３０がターンオンされる際、ターンオンされるスイッチ１３０に接続されたＬＥＤの中には、ＬＥＤパート１１０にディスプレイされる映像に応じて、ディスプレイされていないピクセルに位置することもできる。コントローラ１４０は、予め設定された色（例えば、黒）をディスプレイするように映像がディスプレイされていないピクセルに位置したＬＥＤを制御することができる。または、コントローラ１４０は、映像がディスプレイされていないピクセルがターンオンされないように、ＬＥＤまたはドライバＩＣを制御することができる。即ち、コントローラ１４０は、ＬＥＤパート１１０でディスプレイされる映像に基づいて、特定のスイッチがターンオンされる場合、特定のスイッチに接続されたＬＥＤの電流を制御するドライバＩＣを選択的に非活性化させることもできる。
【００３２】
以下では、多様な実施形態に係るＬＥＤディスプレイモジュールについて説明する。
【００３３】
図３は、第１実施形態に係るＬＥＤディスプレイモジュールを説明するための図である。図３を参照すると、ＬＥＤディスプレイモジュール１００ａは、ライン（ｌｉｎｅ）別に配列されたＬＥＤパート、ドライバＩＣ及びスイッチを含む。図３では、説明の便宜のために、レッドＬＥＤパート、グリーンＬＥＤパート及びブルーＬＥＤパートを分けて表示しているだけで、実際のＬＥＤパートには、レッドＬＥＤ、グリーンＬＥＤ及びブルーＬＥＤが一定のパターンで隣接して配置されてよい。そして、図３では、レットＬＥＤパートの第１ラインと第２ラインとを中心に説明する。ＬＥＤパートは、解像度に応じて更なるレッドＬＥＤラインを含んでよく、グリーンＬＥＤパート及びブルーＬＥＤパートも同様に適用されてよい。
【００３４】
ディスプレイＬＥＤモジュール１００ａは、ライン別に複数のＬＥＤを含む。例えば、第１ラインの第１列及び第２列には複数の第１ＬＥＤ１１１、１１２が配置され、第２ラインの第１列及び第２列には複数の第２ＬＥＤ１１３、１１４が配置されてよい。
【００３５】
第１ドライバＩＣ１２１は、四つのＬＥＤに共通して接続されてよい。即ち、第１ドライバＩＣ１２１は、第１ラインの第１列及び第２列に配置された二つの第１ＬＥＤ１１１、１１２と、第２ラインの第１列及び第２列に配置された二つの第２ＬＥＤ１１３、１１４に共通して接続されてよい。よって、第１ドライバＩＣ１２１は、第１ラインの第１列及び第２列に配置された二つの第１ＬＥＤ１１１、１１２と、第２ラインの第１列及び第２列に配置された二つの第２ＬＥＤ１１３、１１４に流れる電流を一定に保持させることができる。
【００３６】
上述と同様に、第２ドライバＩＣは、第１ラインの第３列及び第４列に配置された二つの第１ＬＥＤと、第２ラインの第３列及び第４列に配置された二つの第２ＬＥＤに共通して接続されてよい。なお、第３ドライバＩＣ（図示せず）は、第３ラインの第１列及び第２列に配置された二つの第３ＬＥＤと、第４ラインの第１列及び第２列に配置された二つの第４ＬＥＤに共通して接続されてよい。第４ドライバＩＣ（図示せず）は、第３ラインの第３列及び第４列に配置された二つの第３ＬＥＤと、第４ラインの第３列及び第４列に配置された二つの第４ＬＥＤに共通して接続されてよい。
【００３７】
一方、各ドライバＩＣは、複数のＬＥＤのカソードに接続されてよく、この場合、各ドライバＩＣは、データシンクドライバである。または、ドライバＩＣは、複数のＬＥＤのアノードに接続されてよく、この場合、ドライバＩＣは、データソースドライバである。
【００３８】
スイッチは、ＬＥＤパートの各ラインの複数のＬＥＤを一定のパターンで分離し、分離された複数のＬＥＤに共通して接続されてよい。一実施形態として、第１スイッチ１３１は、第１ラインの奇数列に配置された複数の第１ＬＥＤに共通して接続され、第２スイッチ１３２は、第１ラインの偶数列に配置された複数の第１ＬＥＤに共通して接続されてよい。第３スイッチ１３３は、第２ラインの奇数列に配置された複数の第２ＬＥＤに共通して接続され、第４スイッチ１３４は、第２ラインの偶数列に配置された複数の第２ＬＥＤに共通して接続されてよい。
【００３９】
上述と同様に、第５スイッチ（図示せず）は、第３ラインの奇数列に配置された複数の第３ＬＥＤに共通して接続され、第６スイッチ（図示せず）は、第３ラインの偶数列に配置された複数の第３ＬＥＤに共通して接続されてよい。第７スイッチ（図示せず）は、第４ラインの奇数列に配置された複数の第４ＬＥＤに共通して接続され、第８スイッチ（図示せず）は、第４ラインの偶数列に配置された複数の第４ＬＥＤに共通して接続されてよい。
【００４０】
各スイッチの一端は、電源部に接続されてよい。一実施形態として、ＬＥＤパートに供給される電圧は、４．２Ｖであってよい。コントローラ（図示せず）は、一定の制御信号を用いて、複数のスイッチを一定のパターンで制御することにより、ＬＥＤディスプレイモジュールを時間的に分割して駆動させることができる。
【００４１】
図４は、第２実施形態に係るＬＥＤディスプレイモジュールを説明するための図である。図４を参照すると、ＬＥＤディスプレイモジュール１００ｂは、ライン（ｌｉｎｅ）別に配列されたＬＥＤパート、ドライバＩＣ及びスイッチを含む。
【００４２】
ディスプレイＬＥＤモジュール１００ｂは、ライン別に複数のＬＥＤを含む。例えば、第１ラインの第１列及び第２列には複数の第１ＬＥＤ１１１、１１２が配置され、第２ラインの第１列及び第２列には複数の第２ＬＥＤ１１３、１１４が配置されてよい。
【００４３】
第１ドライバＩＣ１２１は、二つのＬＥＤに共通して接続されてよい。第１ドライバＩＣ１２１は、第１ラインの第２列に配置された第１ＬＥＤ１１２と、第２ラインの第１列に配置された第２ＬＥＤ１１３に共通して接続されてよい。即ち、第１ドライバＩＣ１２１は、第１ラインの偶数列に配置された第１ＬＥＤ１１２と第２ラインの奇数列に配置された第２ＬＥＤ１１３に共通して接続されてよい。そして、第２ドライバＩＣ１２２は、第１ラインの第１列に配置された第１ＬＥＤ１１１と、第２ラインの第２列に配置された第２ＬＥＤ１１４に共通して接続されてよい。即ち、第２ドライバＩＣ１２２は、第１ラインの奇数列に配置された第１ＬＥＤ１１１と第２ラインの偶数列に配置された第２ＬＥＤ１１４に共通して接続されてよい。よって、第１ドライバＩＣ１２１は、第１ラインの第２列に配置された第１ＬＥＤ１１２と第２ラインの第１列に配置された第２ＬＥＤ１１３に流れる電流を一定に保持させることができる。そして、第２ドライバＩＣ１２２は、第１ラインの第１列に配置された第１ＬＥＤ１１１と第２ラインの第２列に配置された第２ＬＥＤ１１４に流れる電流を一定に保持させることができる。
【００４４】
上述と同様に、第３ドライバＩＣ（図示せず）は、第３ラインの第２列に配置された第３ＬＥＤと、第４ラインの第１列に配置された第４ＬＥＤに共通して接続されてよく、第４ドライバＩＣ（図示せず）は、第３ラインの第１列に配置された第３ＬＥＤと、第４ラインの第２列に配置された第４ＬＥＤに共通して接続されてよい。
【００４５】
スイッチは、ＬＥＤパートの各ラインの複数のＬＥＤを一定のパターンで分離し、分離された複数のＬＥＤに共通して接続されてよい。一実施形態として、第１スイッチ１３１は、第１ラインの奇数列に配置された複数の第１ＬＥＤに共通して接続され、第２スイッチ１３２は、第１ラインの偶数列に配置された複数の第１ＬＥＤに共通して接続されてよい。第３スイッチ１３３は、第２ラインの奇数列に配置された複数の第２ＬＥＤに共通して接続され、第４スイッチ１３４は、第２ラインの偶数列に配置された複数の第２ＬＥＤに共通して接続されてよい。
【００４６】
上述と同様に、第５スイッチ（図示せず）は、第３ラインの奇数列に配置された複数の第３ＬＥＤに共通して接続され、第６スイッチ（図示せず）は、第３ラインの偶数列に配置された複数の第３ＬＥＤに共通して接続されてよい。第７スイッチ（図示せず）は、第４ラインの奇数列に配置された複数の第４ＬＥＤに共通して接続され、第８スイッチ（図示せず）は、第４ラインの偶数列に配置された複数の第４ＬＥＤに共通して接続されてよい。
【００４７】
各スイッチの一端は、電源部に接続されてよい。一実施形態として、ＬＥＤパートに供給される電圧は、４．２Ｖであってよい。コントローラ（図示せず）は、一定の制御信号を用いて、複数のスイッチを一定のパターンで制御することにより、ＬＥＤディスプレイモジュールを時間的に分割して駆動させることができる。
【００４８】
図５は、第３実施形態に係るＬＥＤディスプレイモジュールを説明するための図である。図５を参照すると、ＬＥＤディスプレイモジュール１００ｃは、ライン（ｌｉｎｅ）別に配列されたＬＥＤパート、ドライバＩＣ及びスイッチを含む。図５に示されたＬＥＤディスプレイモジュール１００ｃの構造は、図４で説明したＬＥＤディスプレイモジュール１００ｂの構造と類似している。
【００４９】
ただ、図４で説明したＬＥＤディスプレイモジュール１００ｂのドライバＩＣは、複数のＬＥＤのカソードに接続された一方、図５に示すＬＥＤディスプレイモジュール１００ｃのドライバＩＣは、複数のＬＥＤのアノードに接続されてよい。
【００５０】
上述のように、ドライバＩＣが複数のＬＥＤのカソードに接続される場合、ドライバＩＣはデータシンクドライバであり、ドライバＩＣが複数のＬＥＤのアノードに接続される場合、ドライバＩＣはデータソースドライバである。
【００５１】
図５に示すＬＥＤディスプレイモジュール１００ｃは、ドライバＩＣの位置が異なるという点を除けば、他の特徴は図４において説明したＬＥＤディスプレイモジュール１００ｂの特徴と類似している。
【００５２】
図６は、第４実施形態に係るＬＥＤディスプレイモジュールを説明するための図である。図６を参照すると、ＬＥＤディスプレイモジュール１００ｄは、ライン（ｌｉｎｅ）別に配列されたレッドＬＥＤ、グリーンＬＥＤ、ブルーＬＥＤ、ドライバＩＣ及びスイッチを含む。図６では、レッドＬＥＤ、グリーンＬＥＤ、ブルーＬＥＤを含むサブピクセルを分割して駆動する実施形態が示されている。
【００５３】
ディスプレイＬＥＤモジュール１００ｄは、ライン別にレッドＬＥＤ、グリーンＬＥＤ及びブルーＬＥＤを含む。各ＬＥＤは、スイッチを通じて電源部と接続されてよい。一実施形態として、複数のレッドＬＥＤは２．９Ｖ電源部と接続されてよく、複数のグリーンＬＥＤ及び複数のブルーＬＥＤは４．２Ｖ電源部に共に接続されてよい。
【００５４】
第１ドライバＩＣ１２１は、レッドＬＥＤにのみ接続されてよい。即ち、第１ドライバＩＣ１２１は、第１ラインの第１列に配置されたレッドＬＥＤ１１１にのみ接続されてよい。図６の実施形態において、レッドＬＥＤは、グリーンＬＥＤまたはブルーＬＥＤと異なる電圧を供給されるため、レッドＬＥＤは他のＬＥＤと異なるように、別途の回路で構成されてよい。そして、第２ドライバＩＣ１２２は、第１ラインの第２列に配置されたグリーンＬＥＤ１１２及び第３列に配置されたブルーＬＥＤ１１３に共通して接続されてよい。よって、第１ドライバＩＣ１２１は、第１ラインの第１列に配置されたレッドＬＥＤ１１２の電流を一定に保持させることができ、第２ドライバＩＣ１２２は、第１ラインの第２列及び第３列に配置されたグリーンＬＥＤ１１２及びブルーＬＥＤ１１３の電流を一定に保持させることができる。
【００５５】
上述と同様に、第３ドライバＩＣ１２３は、第２ラインの第１列に配置されたレッドＬＥＤ１１４にのみ接続され、第４ドライバＩＣ１２４は、第２ラインの第２列に配置されたグリーンＬＥＤ１１５及び第３列に配置されたブルーＬＥＤ１１６に共通して接続されてよい。
【００５６】
スイッチは、ＬＥＤパートの各ラインの複数のＬＥＤを一定のパターンで分離し、分離された複数のＬＥＤに共通して接続されてよい。一実施形態として、第１スイッチ１３１は、第１ラインに配置された複数のレッドＬＥＤに共通して接続されてよい。そして、第２スイッチ１３２は、第１ラインに配置された複数のグリーンＬＥＤ及びブルーＬＥＤに共有して接続されてよい。なお、第３スイッチ１３３は、第２ラインに配置された複数のレッドＬＥＤに共通して接続され、第４スイッチ１３４は、第２ラインに配置された複数のグリーンＬＥＤ及びブルーＬＥＤに共有して接続されてよい。
【００５７】
コントローラ（図示せず）は、一定の制御信号を用いて複数のスイッチを一定のパターンで制御することにより、ＬＥＤディスプレイモジュールを時間的に分割して駆動させることができる。
【００５８】
図７は、第５実施形態に係るＬＥＤディスプレイモジュールを説明するための図である。図７を参照すると、ＬＥＤディスプレイモジュール１００ｅは、ライン（ｌｉｎｅ）別に配列されたＬＥＤパート、ドライバＩＣ及びスイッチを含む。
【００５９】
ディスプレイＬＥＤモジュール１００ｅは、ライン別に複数のＬＥＤを含む。例えば、第１ラインの第１列及び第２列には複数の第１ＬＥＤ１１１、１１２が配置され、第２ラインの第１列及び第２列には複数の第２ＬＥＤ１１３、１１４が配置されてよい。
【００６０】
第１ドライバＩＣ１２１は、四つのＬＥＤに共通して接続されてよい。即ち、第１ドライバＩＣ１２１は、第１ラインの第１列及び第２列に配置された二つの第１ＬＥＤ１１１、１１２と、第２ラインの第１列及び第２列に配置された二つの第２ＬＥＤ１１３、１１４に共通して接続されてよい。よって、第１ドライバＩＣ１２１は、第１ラインの第１列及び第２列に配置された二つの第１ＬＥＤ１１１、１１２と、第２ラインの第１列及び第２列に配置された二つの第２ＬＥＤ１１３、１１４に流れる電流を一定に保持させることができる。
【００６１】
上述と同様に、第２ドライバＩＣは、第１ラインの第３列及び第４列に配置された二つの第１ＬＥＤと、第２ラインの第３列及び第４列に配置された二つの第２ＬＥＤに共通して接続されてよい。なお、第３ドライバＩＣ（図示せず）は、第３ラインの第１列及び第２列に配置された二つの第３ＬＥＤと、第４ラインの第１列及び第２列に配置された二つの第４ＬＥＤに共通して接続されてよい。第４ドライバＩＣ（図示せず）は、第３ラインの第３列及び第４列に配置された二つの第３ＬＥＤと、第４ラインの第３列及び第４列に配置された二つの第４ＬＥＤに共通して接続されてよい。
【００６２】
一方、各ドライバＩＣは、複数のＬＥＤのカソードに接続されてよく、この場合、各ドライバＩＣは、データシンクドライバである。または、ドライバＩＣは、複数のＬＥＤのアノードに接続されてよく、この場合、ドライバＩＣは、データソースドライバである。
【００６３】
スイッチは、ＬＥＤパートの各ラインの複数のＬＥＤを一定のパターンで分離し、分離された複数のＬＥＤに共通して接続されてよい。一実施形態として、第１スイッチ１３１は、第１ラインの奇数列に配置された複数の第１ＬＥＤに共通して接続され、第２スイッチ１３２は、第１ラインの偶数列に配置された複数の第１ＬＥＤに共通して接続されてよい。第３スイッチ１３３は、第２ラインの奇数列に配置された複数の第２ＬＥＤに共通して接続され、第４スイッチ１３４は、第２ラインの偶数列に配置された複数の第２ＬＥＤに共通して接続されてよい。
【００６４】
上述と同様に、第５スイッチ（図示せず）は、第３ラインの奇数列に配置された複数の第３ＬＥＤに共通して接続され、第６スイッチ（図示せず）は、第３ラインの偶数列に配置された複数の第３ＬＥＤに共通して接続されてよい。第７スイッチ（図示せず）は、第４ラインの奇数列に配置された複数の第４ＬＥＤに共通して接続され、第８スイッチ（図示せず）は、第４ラインの偶数列に配置された複数の第４ＬＥＤに共通して接続されてよい。
【００６５】
各スイッチの一端は、電源部に接続されてよい。一実施形態として、レッドＬＥＤパートに供給される電圧は、２．９Ｖであってよく、グリーンＬＥＤ及びブルーＬＥＤに供給される電圧は、４．２Ｖであってよい。コントローラ（図示せず）は、一定の制御信号を用いて、複数のスイッチを一定のパターンで制御することにより、ＬＥＤディスプレイモジュールを時間的に分割して駆動させることができる。
【００６６】
これまで、ＬＥＤディスプレイモジュールの構成に対する多様な実施形態について説明してきた。以下では、時分割駆動方式について説明する。
【００６７】
図８は、一実施形態に係るＬＥＤディスプレイモジュールの時分割方式を説明するための図である。図８を参照すると、時間に応じてターンオンされるＬＥＤが変更される過程が示されている。第３、５、７ライン及び第３列以下の動作過程は、第１及び２ラインの第１及び２列の動作過程と同様であるため、第１及び２ラインの第１及び２列について説明する。なお、図３のＬＥＤディスプレイモジュール１００ａと比較して説明する。
【００６８】
図８（ａ）を参照すると、第１ラインの第１列のＬＥＤがターンオンされた状態が示されている。上述のように、第３、５、７ラインの奇数列のＬＥＤも同様にターンオンされる。一回目の周期において、ＬＥＤディスプレイモジュール１００ａの第１スイッチ１３１がターンオンされる。第１ラインの第１列の第１ＬＥＤ１１１に電流が流れるため、第１ラインの第１列の第１ＬＥＤ１１１がターンオンされる。
【００６９】
図８（ｂ）を参照すると、第２ラインの第２列のＬＥＤがターンオンされた状態が示されている。上述のように、第４、６、８ラインの偶数列のＬＥＤも同様にターンオンされる。二回目の周期において、ＬＥＤディスプレイモジュール１００ａの第１スイッチ１３１はターンオフされ、第４スイッチ１３４がターンオンされる。第１ラインの第１列の第１ＬＥＤ１１１に流れる電流は途絶えるため、第１ラインの第１列の第１ＬＥＤ１１１はターンオフされ、第２ラインの第２列の第２ＬＥＤ１１４に電流が流れるため、第２ラインの第２列の第２ＬＥＤ１１４がターンオンされる。
【００７０】
図８（ｃ）を参照すると、第１ラインの第２列のＬＥＤがターンオンされた状態が示されている。上述のように、第３、５、７ラインの偶数列のＬＥＤも同様にターンオンされる。三回目の周期において、ＬＥＤディスプレイモジュール１００ａの第４スイッチ１３４はターンオフされ、第２スイッチ１３２がターンオンされる。第２ラインの第２列の第２ＬＥＤ１１４に流れる電流は途絶えるため、第２ラインの第２列の第２ＬＥＤ１１４はターンオフされ、第１ラインの第２列の第１ＬＥＤ１１２に電流が流れるため、第１ラインの第２列の第１ＬＥＤ１１２がターンオンされる。
【００７１】
図８（ｄ）を参照すると、第２ラインの第１列のＬＥＤがターンオンされた状態が示されている。上述のように、第４、６、８ラインの奇数列のＬＥＤも同様にターンオンされる。四回目の周期において、ＬＥＤディスプレイモジュール１００ａの第２スイッチ１３２はターンオフされ、第３スイッチ１３３がターンオンされる。第１ラインの第２列の第１ＬＥＤ１１２に流れる電流は途絶えるため、第１ラインの第２列の第１ＬＥＤ１１２はターンオフされ、第２ラインの第１列の第２ＬＥＤ１１３に電流が流れるため、第２ラインの第１列の第２ＬＥＤ１１３がターンオンされる。図３に示すＬＥＤディスプレイモジュール１００ａを基に時分割方式を説明しているが、別の実施形態に係るＬＥＤディスプレイモジュール１００ｂ、１００ｃ、１００ｄ、１００ｅも類似する方式で動作することができる。
【００７２】
上述の方式で、ＬＥＤディスプレイモジュール１００ａは、時間に応じて分割された位置に配置されたＬＥＤを予め設定された方式によってオンオフさせることができる。ＬＥＤのオンオフは、人が認識できない程度の周期（例えば、６０Ｈｚ）で繰り返されるため、以前にターンオンされたＬＥＤの残像によってユーザはちらつきを感じにくく、ディスプレイされた映像を見ることができる。即ち、ＬＥＤディスプレイモジュールは、画質が低下することなく、映像をディスプレイすることができる。
【００７３】
図９Ａ〜図９Ｄは、一実施形態に係るＬＥＤディスプレイモジュールの時分割方式を従来の方式と比較した図である。
【００７４】
図９Aを参照すると、ディスプレイしようとする映像イメージが示されている。以下では、図９Aに示された映像イメージをディスプレイする多様な方式について説明する。
【００７５】
図９Bを参照すると、従来の第１方式によるディスプレイ方式について設恵美する。上述のように、従来の方式は、それぞれのＬＥＤにそれぞれのドライバＩＣが接続され、ライン別にスイッチが接続されている。ディスプレイモジュールの全ラインが１６ラインである際、一つの駆動方式で４つの領域に分けてディスプレイモジュールはディスプレイされてよい。即ち、ディスプレイモジュールは、第１ラインないし第４ラインを第１領域、第５ラインないし第８ラインを第２領域、第９ラインないし第１２ラインを第３領域、第１３ライン及び第１６ラインを第４領域に分けられてよい。
【００７６】
一回目の周期でディスプレイモジュールの各領域の一番目のライン、即ち、第１、第５、第９及び第１３ラインのスイッチがターンオンされることにより、第１、第５、第９及び第１３ラインの全てのＬＥＤがターンオンされてよい。二回目の周期では、第２、第６、第１０、第１４ラインの全てのＬＥＤがターンオンされてよく、三回目の周期では、第３、第７、第１１、第１５ラインの全てのＬＥＤがターンオンされてよく、四回目の周期では、第４、第８、第１２、第１６ラインの全てのＬＥＤがターンオンされてよい。例えば、一周期が約４．１７ｍｓである場合、四回目の周期までかかる時間は約１６．７ｍｓである。四回目の周期まで進められると、図９Aの映像イメージが全体的に一度表示されてよい。よって、図９Aのディスプレイモジュールは約６０Ｈｚで動作する。６０Ｈｚで動作する場合、ＬＥＤディスプレイモジュールは、フリッカーが発生しない。しかし、上述のように、ＬＥＤの数と同じドライバＩＣが必要であるため、大画面のディスプレイモジュールは嵩、収率、コスト面などで不利である。
【００７７】
もし、一つのドライバＩＣに複数のＬＥＤを共通して接続したディスプレイモジュールを考慮してみることができる。図９Cには、複数のＬＥＤを共通して一つのドライバＩＣに接続したディスプレイモジュールの動作過程が示されている。
【００７８】
図９Cのディスプレイモジュールは、一つのドライバＩＣを含み、各ラインの全てのＬＥＤに共通してスイッチが接続されているため、ライン別にＬＥＤを制御することができる。即ち、ディスプレイモジュールの全ラインが１６ラインである際、毎周期ごとに１ラインに配置されたＬＥＤをターンオンされるとしたら、全映像イメージをディスプレイするためには１６周期が必要になる。上述のように、１周期が約４．１７ｍｓである場合、１６回目の周期までかかる時間は約６６．７ｍｓである。よって、図９Cのディスプレイモジュールは、約１５Ｈｚで動作する。ディスプレイモジュールが１５Ｈｚで動作する場合、ユーザはフリッカーを感じることがある。なお、図９Cのディスプレイモジュールの場合、ディスプレイモジュールが６０Ｈｚで動作するためには、４倍に早い周期が必要になるため、多くの負荷がかかるようになる。
【００７９】
図９Dを参照すると、本発明の一実施形態に係るディスプレイモジュールの動作方式が示されている。図９Cと同様に、ディスプレイモジュールは一つのドライバＩＣに全てのＬＥＤが接続され、スイッチが各ラインに奇数列及び偶数列別に別個のスイッチが接続されてよい。上述のように、本発明の一実施形態に係るＬＥＤディスプレイモジュールは、ライン及び列に応じてＬＥＤ制御を行うことができる。よって、本発明の一実施形態に係るＬＥＤディスプレイモジュールは、第１ラインの奇数列、第３ラインの奇数列のＬＥＤが同時にターンオンされ、第１ラインの奇数列、第３ラインの奇数列のＬＥＤが同時にターンオフされつつ、第５ラインの奇数列、第７ラインの奇数列のＬＥＤが同時にターンオンされてよい。そして、第５ラインの奇数列、第７ラインの奇数列のＬＥＤが同時にターンオンされつつ、第９ラインの奇数列、第１１ラインの奇数列のＬＥＤが同時にターンオンされた後、第９ラインの奇数列、第１１ラインの奇数列のＬＥＤが同時にターンオフされつつ、第１３ラインの奇数列、第１５ラインの奇数列のＬＥＤが同時にターンオンされてよい。奇数列のＬＥＤが一回ずつ全てターンオンされた後、偶数列のＬＥＤも奇数列のＬＥＤと同様の方式でターンオンされてよい。
【００８０】
図９Dの動作方式は、４周期の間に全映像イメージが全てディスプレイされるものではないが、映像イメージの全領域にわたってディスプレイされる。よって、残像効果を考慮すると、図９Dの動作方式は、４周期に全映像イメージをディスプレイしたのと同じ効果がある。１周期が約４．１７ｍｓである場合、四回目の周期までにかかる時間は約１６．７ｍｓである。よって、図９Dのディスプレイモジュールは、約６０Ｈｚで動作するため、フリッカーなどを含む画質が低下することなく、映像をディスプレイすることができる。
【００８１】
図１０は、一実施形態に係るディスプレイ装置を示すブロック図である。図１０を参照すると、ディスプレイ装置１０００は、ＬＥＤディスプレイモジュール１００及びプロセッサ２００を含む。
【００８２】
ＬＥＤディスプレイモジュール１００は、複数の第１ＬＥＤの配列された第１ライン及び複数の第２ＬＥＤの配列された第２ラインで構成されたＬＥＤパートと、複数の第１ＬＥＤのうち少なくとも一つ及び複数の第２ＬＥＤのうち少なくとも一つに共通して接続された第１ドライバＩＣ、及び複数の第１ＬＥＤのうち別の少なくとも一つ及び複数の第２ＬＥＤのうち別の少なくとも一つに共通して接続された第２ドライバＩＣと、第１及び第２ラインの奇数列に配置された複数の第１ＬＥＤ及び複数の第２ＬＥＤにそれぞれ接続された第１及び第２スイッチと、第１及び第２ラインの偶数列に配置された複数の第１ＬＥＤ及び複数の第２ＬＥＤにそれぞれ接続された第３及び第４スイッチと、第１ないし第４スイッチが順次にターンオンされるように制御するコントローラとを含む。
【００８３】
なお、ＬＥＤパートは、複数の第３ＬＥＤの配列された第３ライン及び複数の第４ＬＥＤの配列された第４ラインを更に含み、複数の第３ＬＥＤのうち少なくとも一つ及び複数の第４ＬＥＤのうち少なくとも一つに共通して接続された第３ドライバＩＣ、及び複数の第３ＬＥＤのうち別の少なくとも一つ及び複数の第４ＬＥＤのうち別の少なくとも一つに共通して接続された第４ドライバＩＣと、第３及び第４ラインの奇数列に配置された複数の第３ＬＥＤ及び複数の第４ＬＥＤにそれぞれ接続された第５及び第６スイッチと、第３及び第４ラインの偶数列に配置された複数の第３ＬＥＤ及び複数の第４ＬＥＤにそれぞれ接続された第７及び第８スイッチとを更に含んでよい。
【００８４】
そして、プロセッサ２００は、コントローラを制御し、スイッチを一定の方式でスイッチングさせることができる。即ち、プロセッサ２００は、コントローラが第１、第２、第３及び第４スイッチを順次にターンオンさせ、第５、第６、第７及び第８スイッチがそれぞれ第１、第２、第３及び第４スイッチと同時にターンオンさせるように制御することができる。具体的な実施形態については上述しているため、説明を省略する。
【００８５】
上述の多様な実施形態に係るＬＥＤディスプレイモジュールの制御方法は、プログラムで実現されてディスプレイ装置に提供されてよい。特に、ディスプレイ方法を含むプログラムは、非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【００８６】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００８７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2019536095.tif 000003
【図２】
2019536095.tif 000004
【図３】
2019536095.tif 000005
【図４】
2019536095.tif 000006
【図５】
2019536095.tif 000007
【図６】
2019536095.tif 000008
【図７】
2019536095.tif 000009
【図８】
2019536095.tif 000010
【図９Ａ】
2019536095.tif 000011
【図９Ｂ】
2019536095.tif 000012
【図９Ｃ】
2019536095.tif 000013
【図９Ｄ】
2019536095.tif 000014
【図１０】
2019536095.tif 000015
【国際調査報告】
2019536095.tif 000016
2019536095.tif 000017